(57)【特許請求の範囲】
【請求項１】
カバン本体(2) と、盗難防止装置(4)(5)とを備え、盗難防止装置(4)(5)が、カバン本体(2) と別途に携帯される送信機(4) と、カバン本体(2) に付設されて送信機(4) からの信号を受信し得る受信機(5) とを備え、受信機(5) が、音発生装置と、受信機スイッチ(51)とを備え、カバン本体(2) が送信機(4) から引き離されてカバン本体(2) の受信機(5) が送信機(4) からの信号を受信できなくなるに伴って、音発生装置が音を発し得るようになされ、受信機スイッチ(51)が、隠し手段(52)(25)(54)によって隠されたものであるるカバンにおいて、
上記の隠し手段が、受信機(5) に、手の指が入らない程度の大きさに形成された凹部(52)を備え、この凹部(52)内に、入り切り操作自在な受信機スイッチ(51)が配位されることにより、受信機スイッチ(51)が凹部(52)に隠されて手の指で入り切り操作できないようになされたものであり、
受信機(5) の凹部(52)内に挿入可能な受信機スイッチ用操作片(43)がカバン本体(2) と分離して配位されたものであり、
カバン本体(2) は、底面と前後左右の各側面を備え、上方側に開閉自在な開口部(22)を有するものであり、カバン本体(2) の側壁（２ａ）に上記の受信機(5) が固定され、
カバン本体(2) の内部に、曲げ自在なシート状の被覆部材(24)が備えられ、この被覆部材(24)によって、受信機(5) がカバン本体(2)内で覆い隠されるようになされたものであり、
この被覆部材(24)の上部側が上記の受信機(5) の固定された側壁（２ａ）の上部側に接続され、この被覆部材(24)の下部側がカバン本体(2) の底面上に配置されているものであり、且つ、めくり上げられるようになされたものであることを特徴とする盗難防止装置を有するカバン。
【請求項２】
受信機(5) が、ボルトを受容し得るボルト受容部(53)を備え、このボルト受容部(53)によって、受信機(5) がボルトを介してカバン本体(2) に固定されたものであることを特徴とする請求項１に記載の盗難防止装置を有するカバン。
【請求項３】
受信機(5) が、カバン本体(2) に設けられたポケット(25)に収納されたものであり、ポケット(25)に受信機(5) が収納されることにより、受信機(5) がカバン本体(2) に固定されたものであることを特徴とする請求項１に記載の盗難防止装置を有するカバン。
【発明の詳細な説明】
【０００１】
【発明の属する技術分野】
本願発明は、盗難防止装置を有するカバンの改良に関するものである。
【０００２】
【従来の技術】
従来から、貴重品等を入れたカバンの盗難を防止するために盗難防止装置を設けたカバンが知られている。このカバンは、図１１に示すように盗難防止装置を、送信機ｂと、音発生部を有する受信機ｃとから構成し、受信機ｃをカバン本体ａ内に入れておき、一方、送信機ｂを、衣服のポケット等に入れるようにしてカバンａと共に持ち運びするようにしたものである。こうすることにより、受信機ｃを入れたカバン本体ａが盗難されて送信機ｂと受信機ｃとが互いに引き離され、受信機ｃが送信機ｂからの信号を受信できなくなると、受信機ｃに設けた音発生部からブザー音を発し、カバンａが盗難した者に運ばれているのを判るようにしたものである。しかしながら、受信機ｃを、常時、音発生部から音を発する作動状態にしておくと受信機ｃの電源が使用しない場合にも消費されてすぐに無くなってしまうことから、図１２に示すように受信機ｃに、手の指で入り切り操作できる受信機スイッチｃ１を設け、使用に際して受信機スイッチｃ１を操作して入り状態にするようにしているが、この受信機スイッチｃ１が、手の指で入り切り操作できるため、カバンａが盗難されて受信機ｃがブザー音を発しても、盗難した者によって受信機ｃのスイッチｃ１を手の指で簡単に切り操作されてブザー音が止められてしまうという課題がある。又、受信機ｃをカバンａ内に入れておくだけのため、盗難した者がブザー音を発している受信機ｃをカバンａから簡単に取り出して受信機ｃだけを捨ててしまうという課題がある。
【０００３】
【発明が解決しようとする課題】
本願発明は、以上の実情に鑑み提案されたもので、受信機の受信機スイッチを操作し難く、盗難した者によって受信機から発する音を即座に止められることのない盗難防止装置を有するカバンの提供を目的とする。
【０００４】
【課題を解決するための手段】
本願発明は、以下の特徴を有する盗難防止装置を有するカバンを提供することにより上記課題を解決する。
本願の請求項１の発明は、カバン本体(2) と、盗難防止装置(4)(5)とを備え、盗難防止装置(4)(5)が、カバン本体(2) と別途に携帯される送信機(4) と、カバン本体(2) に付設されて送信機(4) からの信号を受信し得る受信機(5) とを備え、受信機(5) が、音発生装置と、受信機スイッチ(51)とを備え、カバン本体(2) が送信機(4) から引き離されてカバン本体(2) の受信機(5) が送信機(4) からの信号を受信できなくなるに伴って、音発生装置が音を発し得るようになされ、受信機スイッチ(51)が、隠し手段(52)(25)(54)によって隠されたものであるカバンにおいて、上記の隠し手段が、受信機(5) に、手の指が入らない程度の大きさに形成された凹部(52)を備え、この凹部(52)内に、入り切り操作自在な受信機スイッチ(51)が配位されることにより、受信機スイッチ(51)が凹部(52)に隠されて手の指で入り切り操作できないようになされたものであり、受信機(5) の凹部(52)内に挿入可能な受信機スイッチ用操作片(43)がカバン本体(2) と分離して配位されたものであり、カバン本体(2) は、底面と前後左右の各側面を備え、上方側に開閉自在な開口部(22)を有するものであり、カバン本体(2) の側壁（２ａ）に上記の受信機(5) が固定され、カバン本体(2) の内部に、曲げ自在なシート状の被覆部材(24)が備えられ、この被覆部材(24)によって、受信機(5) がカバン本体(2)内で覆い隠されるようになされたものであり、この被覆部材(24)の上部側が上記の受信機(5) の固定された側壁（２ａ）の上部側に接続され、この被覆部材(24)の下部側がカバン本体(2) の底面上に配置されているものであり、且つ、めくり上げられるようになされたものであることを特徴とする盗難防止装置を有するカバンを提供する。
本願の請求項２に係る発明は、受信機(5) が、ボルトを受容し得るボルト受容部(53)を備え、このボルト受容部(53)によって、受信機(5) がボルトを介してカバン本体(2) に固定されたものであることを特徴とする請求項１に記載の盗難防止装置を有するカバンを提供する。
本願の請求項３に係る発明は、受信機(5) が、カバン本体(2) に設けられたポケット(25)に収納されたものであり、ポケット(25)に受信機(5) が収納されることにより、受信機(5) がカバン本体(2) に固定されたものであることを特徴とする請求項１に記載の盗難防止装置を有するカバンを提供する。
【０００５】
以上のように構成された本願発明においては、受信機スイッチ５１を、隠し手段５２、２５、５４によって隠しておくため、カバン本体２を盗難した者がカバン本体２に付設されて音を発している受信機５の音を切ろうとしても、受信機スイッチ５１を切り操作できず、或いは受信機スイッチ５１の位置が判らず、即座に受信機５の音を切ることのできないものにでき、音を止めることができないものにできる。これにより、従来のように、簡単に盗難した者に音が止められてしまうようなことを防止できる。この隠し手段として凹部５２を、受信機５に、手の指が入らない程度の大きさに形成し、この凹部５２内に、受信機スイッチ５１を入り切り操作自在に配位することにより、受信機スイッチ５１を凹部５２に隠して手の指で入り切り操作できないようにする。こうすることにより、カバン本体２を盗難した者に受信機スイッチ５１の位置が知られても、手で受信機スイッチ５１を切り操作できず、受信機５の音を切ることのできないものにできる。また、カバン本体２の内部に、シート状の被覆部材２４を備え、この被覆部材２４によって、受信機５をカバン本体２内で覆い隠すため、カバン本体２を盗難した者がカバン本体２から受信機５を取り外し、或いは外受信機５の音を止めようとしてもカバン本体２内で受信機５を即座に見つけることができないものにできる。又、受信機５をカバン本体２内で覆い隠すことによって、カバン本体２内で受信機５が、貴重品や書類等を入れる際の邪魔になることがなく、しかも、カバン本体２を開けても受信機５が見えず、体裁の良いものにできる。
【０００６】
【発明の実施の形態】
以下、図を基に本願発明の一実施形態を具体的に説明する。図１(A) は、本願発明の盗難防止装置を有するカバンの一実施形態のカバン本体の正面図であり、図１(B) は、その側面図、図２は、図１(B) のII−II線断面図である。
【０００７】
本願発明の盗難防止装置を有するカバンは、カバン本体２と、盗難防止装置４、５と、固定手段６とを備えている。カバン本体２は、前後左右の各側面を備え、上方側に開閉自在な開口部２２を有する。又、カバン本体２の左側壁２ａには、受信機固定部２３…２３を備えている。この受信機固定部２３…２３は、後述する盗難防止装置４、５の受信機５を固定するためのもので、左側壁２ａの外側から内側に貫通した四つのボルト挿通用孔２３ａ…２３ａが備えられている。また、このカバン本体２内における左側壁２ａには、被覆部材２４を備えている。この被覆部材２４は、受信機固定部２３に固定された受信機５を内方側から覆い隠すためのもので、布や皮等の折り曲げ自在なシート状のものから構成され、被覆部材２４の上部側が左側壁２ａの上部側に縫製等によって接続されることにより、被覆部材２４の下部側がめくり上げられるようになされている。
【０００８】
盗難防止装置４、５は、図３(A)(B)(C) に示す送信機４と、送信機４からの信号を受信する図４(A)(B)に示す受信機５とを備えている。送信機４は、携帯可能なもので、内部には、図示しないが、信号を発する発信手段や電源を収納し、電源から発信手段に通電されることにより、信号を発することができるようになされている。又、送信機４の前側面には、送信機スイッチ４１が備えられている。この送信機スイッチ４１は、発信手段と電源とを接続・接続解除して送信機４を送信可能状態から送信停止状態に自在に切り換えるためのもので、手の指で入り切り操作可能に設けられている。一方、送信機４の下面には、受信機スイッチ用操作片４３が備えられている。この受信機スイッチ用操作片４３は、後述する受信機５の受信機スイッチ５１を入り切り操作するためのもので、送信機４の下面から下方に突設され、下端側の先端に薄板状の係合片４３ａを備えている。また、この実施形態では、送信機４の上部側に、リング状の吊下げ支持部４４が備えられ、この吊下げ支持部４４に、紐状部材やキーホルダー等の吊下げ支持部材４５を通して送信機４を吊下げ支持できるようになされている。尚、送信機４の後側面には、電池交換用蓋４６が取り外し自在に設けられており、この電池交換用蓋４２から電源としての電池が交換できるようになされている。
【０００９】
そして、この送信機４は、使用に際しては、衣服のポケットに入れられる等して、カバン本体２と分離して配位され、カバン本体２と共に持ち運びされる。
【００１０】
尚、この送信機４の受信機スイッチ用操作片４３は、送信機４に取り外し不能に設けるものに限らず、送信機４と別体のものから構成して送信機４と取り外し可能に設けたものでも良く、例えば図６(A) に示すように送信機４を、送信機本体４０と、送信機本体４０とは別体の受信機スイッチ用操作片４３から構成し、受信機スイッチ用操作片４３を、一端側に係合片４３ａを備え、他端側に把持部４３ｂを備えたものとし、そして、この受信機スイッチ用操作片４３を、送信機本体４０の側面に設けた係止部４０ａに係脱自在に係止させておくようにし、使用に際して受信機スイッチ用操作片４３を係止部４０ａから外して使用するようにする。また、その場合において、受信機スイッチ用操作片４３と送信機本体４０とを紐部材４０ｂで接続するようにしておけば、受信機スイッチ用操作片４３を紛失等するのを防止でき点で好ましい。又、送信機４に、送信機４自体を衣服の一部やベルト等に係脱自在に形成しておくための係止手段を設けておいても良く、例えば図６(B)(C)に示すように送信機４の裏面側に、弾性を有するクリップ４６を設け、クリップ４６の下方側からクリップ４６と送信機４の裏面との間に衣服の一部やベルト等を入れて送信機４を衣服やベルト等に係止できるようにしても良く、適宜変更できる。
【００１１】
受信機５は、図４(A)(B)に示すように、ケーシング５０を備え、ケーシング５０内に、図示しないが音発生装置や電源等が備えられている。この音発生装置は、受信機５と送信機４とが互いに接近して受信機５が送信機４からの信号を受信している間は音を出さず、受信機５と送信機４とが引き離されて受信機５が送信機４からの信号を受信できなくなると電源からの電気力によって前面側に設けた音発生部５０ａから音を発するように作動する。本実施形態では、受信機５が送信機４から５〜６ｍ程度、離されると送信機４からの信号を受信出来ずに音発生装置の音発生部５０ａからブザー音が発せられるようになされている。又、受信機５の左側面には、受信機スイッチ５１が備えられている。この受信機スイッチ５１は、受信機５を、音発生装置からブザー音を発し得る作動状態から作動停止状態に自在に切り換えるためのもので、受信機５に設けられた凹部５２内に入り切り操作可能に配位されている。詳しくは、図５に示すように、ケーシング５０の左側面には、凹部５２が形成されている。この凹部５２は、受信機スイッチ５１を隠す隠し手段としてのもので、ケーシング５０の一部を内方側に窪ませることにより、左側に開口部５２ａを有する凹部５２が形成されている。又、この凹部５２の開口部５２ａは、上記送信機４の受信機スイッチ用操作片４３を入れることができ、且つ、手の指を入れることができない程度の大きさに形成されている。受信機スイッチ５１は、板状のスイッチ片５１ａを備えている。又、このスイッチ片５１ａの表面側には、係合用溝５１ｂが備えられており、この係合用溝５１ｂに、送信機４の受信機スイッチ用操作片４３の係合片４３ａを受容して係合できるようになされている。そして、このスイッチ片５１ａは、凹部５２内に開口部５２ａから入れられて凹部５２の奥端面５２ｂに上下摺動可能に配位されており、スイッチ片５１ａが凹部５２の上方位置に配位されることにより、受信機スイッチ５１が入り状態になって音発生装置を作動状態にする。一方、スイッチ片５１ａが凹部５２の上方位置から下方位置に摺動されることにより、受信機スイッチ５１が切り状態になって音発生装置を作動不能状態にする。
【００１２】
尚、受信機５の電源は、本実施形態では、充電式のものとされているが、電池等から構成しても良く、適宜変更できる。又、この実施形態では、受信機スイッチ５１を、ケーシング５０の左側面に設けたものとしているが、受信機スイッチ５１を設ける位置は特に限定されず、例えばケーシング５０の右側面、前側面、上面又は下面に設けても良く、適宜変更できる。又、受信機スイッチ５１は、スイッチ片５１ａを摺動することにより入り切り操作する形態のものに限らず、例えばボタン片を押圧することにより入り切り操作する形態のものであっても良く、適宜変更できる。
【００１３】
又、受信機５のケーシング５０における左側面及び右側面各々の上後方部と下後方部とには、ボルト受容部５３…５３が備えられている。ボルト受容部５３…５３各々は、ケーシング５０の左側面、右側面各々から側方側に突設されている。又、ボルト受容部５３…５３各々には、前後方向に貫通した六角形状のナット嵌合孔５３ａが、カバン本体２の左側壁２ａにおけるボルト挿通用孔２３ａ…２３ａに対応する位置に設けられ、後述の固定手段６のナット６３を回動不能に嵌合できるようになされており、ナット６３を介して固定手段６の固定用ボルト６２を受容できるようになされている。
【００１４】
そして、この受信機５は、カバン本体２内におけるカバン本体２の左側壁２ａに、固定手段６によって固定されて、カバン本体２内で被覆部材２４によって覆い隠されている。
【００１５】
固定手段６は、受信機５とカバン本体２とを固定するためのもので、本実施形態では、図２に示すように上記受信機５に設けられたボルト受容部５３…５３と、二枚の金属製のボルト支持部材６１、６１と、固定用ボルト６２…６２と、ナット６３…６３とを備えている。ボルト支持部材６１、６１は、受信機５とカバン本体２とを引き剥がし難くするためのもので、本実施形態では、鉄製の板状体から構成され、各々の長さが、受信機５の左右のボルト受容部５３、５３の距離より長く形成されて左右のボルト受容部５３、５３に渡せるようになされているとともに、左右両側に左右のボルト受容部５３、５３各々のナット嵌合孔５３ａに対応する位置にボルト挿通孔６１ａ、６１ａを備えている。
【００１６】
そして、この固定手段６によって、受信機５とカバン本体２とが、次のようにして固定されている。受信機５の各ナット嵌合孔５３ａ…５３ａにナット６３…６３を嵌合し、その状態で受信機５をカバン本体２内に入れ、カバン本体２の左側壁２ａに内側から、各ボルト挿通用孔２３ａ…２３ａと各ナット６３…６３とを位置合わせさせるようにして沿わせ、ボルト支持部材６１、６１各々をカバン本体２の左側壁２ａに外側から、カバン本体２の左側壁２ａにおける各ボルト挿通用孔２３ａ…２３ａとボルト支持部材６１、６１の左右の各ボルト挿通孔６１ａ、６１ａとを位置合わせさせるようにして沿わせ、カバン本体２の左側壁２ａを挟んでボルト支持部材６１、６１の左右の各ボルト挿通孔６１ａ、６１ａと受信機５の左右のナット嵌合孔５３ａ、５３ａの各ナット６３…６３とを位置合わせする。次に、固定用ボルト６２の軸部６２ａを、ボルト支持部材６１のボルト挿通孔６１ａからカバン本体２の各ボルト挿通用孔２３ａ…２３ａに通していき、受信機５のボルト受容部５３に嵌合したナット６３に、固定用ボルト６２の軸部６２ａの先端を螺合させて締め付けることにより、受信機５を、カバン本体２内における左側壁２ａに固定している。
【００１７】
次に、以上のように構成した盗難防止装置を有するカバンの機能について説明する。まず、送信機４の送信機スイッチ４１を、手の指で入り状態にするとともに、受信機５の受信機スイッチ５１を入り状態にする。この受信機５の受信機スイッチ５１を入り状態にする場合は、送信機４の受信機スイッチ用操作片４３の係合片４３ａを、受信機スイッチ５１の係合用溝５１ｂに係合させ、その係合させた受信機スイッチ用操作片４３を操作してスイッチ片５１ａを上方側に摺動させる。これにより、受信機５の受信機スイッチ５１を入り状態にできる。以上で、使用可能になり、送信機４をポケット等に入れるようにして、カバン本体２と共に持ち運びする。その際、カバン本体２内の受信機５と送信機４とが互いに近接しているため、受信機５からブザー音が鳴るようなことがない。
【００１８】
そして、カバン本体２が盗難され、カバン本体２内の受信機５が送信機４から５〜６ｍ以上、引き離されると、受信機５からブザー音が鳴り始める。これにより、周囲の人に、カバン本体２が盗難されたことを判らせることができるとともに、盗難されたカバン本体２の位置が判る。その際、盗難した者がブザー音を止めようとしてカバン本体２を開けても、受信機５が被覆カバーで覆い隠されているため、盗難した者が即座に受信機５を見つけることができず、ブザー音を止めることができない。しかも、仮に、盗難した者がカバン本体２内の受信機５を見つけることができたとしても、受信機スイッチ５１を手の指を入れることができない凹部５２内に設けているため、受信機スイッチ５１を即座に切ることができず、ブザー音を止めることができない。又、カバン本体２から受信機５を取り外して受信機５だけを放ってしまおうとしても、カバン本体２と受信機５とを固定用ボルト６２とナット６３とで固定しているため、工具がなければカバン本体２から受信機５を取り外すことができず、また、受信機５を無理やり引っ張ったとしてもカバン本体２の左側壁２ａの外側から鉄製のボルト支持部材６１、６１で固定用ボルト６２を支持しているため、固定用ボルト６２がカバン本体２の左側壁２ａのボルト挿通用孔２３ａ…２３ａから抜けてカバン本体２から受信機５が外れるようなことがなく、受信機５だけが放られてしまうようなことを防止できる。
【００１９】
尚、本実施形態では、受信機５全体をカバン本体２内に収納して音発生部５０ａや受信機スイッチ５１をカバン本体２内に配位させるようにしているが、この形態のものに限らず、音発生部５０ａと受信機スイッチ５１との一方又は両方をカバン本体２の外に露出させるように配位させても良い。詳しくは、例えば図７、図８に示すように、受信機５を、前面側における左右中央やや上部側に音発生部５０ａを備えたものとするとともに、前面側における音発生部５０ａの左方部に、受信機スイッチ５１を設けた凹部５２を備えたものにし、更に、受信機５の上部及び下部各々の左部と右部とに、ボルト受容部５３…５３を備えたものとする。一方、ボルト支持部材６５を、受信機５の前面全体を覆える程度の大きさの一枚の板状のものから構成し、このボルト支持部材６５の略中央部に窓孔６６を穿設するとともに、窓孔６６の左側部にスイッチ操作用孔６７を穿設したものとし、更に、窓孔６６の上部及び下部に、受信機５のボルト受容部５３…５３に対応し得るようにボルト挿通孔６１ａ…６１ａを穿設したものとする。又、カバン本体２の左側壁２ａに、受信機５の音発生部５０ａ及び凹部５２に対応する部分をカットして形成した露出孔２ｂを備えるとともに、露出孔２ｂの上部及び下部に、受信機５のボルト受容部５３…５３に対応しうるようにボルト挿通用孔２３ａ…２３ａを穿設したものとする。そして、カバン本体２の内側に受信機５を、カバン本体２の外側にボルト支持部材６５を、受信機５のボルト受容部５３…５３とカバン本体２のボルト挿通用孔２３ａ…２３ａとボルト支持部材６５のボルト挿通孔６１ａ…６１ａとを位置合わせするようにして配設し、固定用ボルト６２…６２を、ボルト支持部材６５のボルト挿通孔６１ａ…６１ａから受信機５のボルト受容部５３…５３に通すようにして固定する。この固定により、受信機５の音発生部５０ａがカバン本体２の露出孔２ｂ及びボルト支持部材６５の窓孔６６を介してカバン本体２の外に現れるとともに、受信機５の凹部５２がカバン本体２の露出孔２ｂ及びボルト支持部材６５のスイッチ操作用孔６７を介してカバン本体２の外に現れる。これにより、受信機５の音発生部５０ａから発するブザー音をカバン本体２の外に直接出すことができ、周囲の人に聞こえ易いものにできるとともに、受信機５の凹部５２に設けた受信機スイッチ５１を、受信機スイッチ用操作片４３を介してカバン本体２の外からも入り切り操作でき、使用便利なものにできる。
【００２０】
又、本実施形態では、受信機５の受信機スイッチ５１を隠す隠し手段として凹部５２を採用し、この凹部５２内に受信機スイッチ５１を設けることにより、受信機スイッチ５１の側面を凹部５２の内壁面で隠すようにしているが、この形態のものに限らず、例えば図９(A)(B)に示すようにカバン本体２の側面に受信機５を収納するポケット２５を設け、このポケット２５に受信機５を収納して受信機５全体をポケット２５で隠すことにより、受信機５の受信機スイッチ５１を隠すようにしても良い。又、この場合において、この図９(A)(B)に示すようにポケット２５を、開口部２６ａを有するポケット本体部２６と、ポケット本体部２６の開口部２６ａを開閉自在に閉じる開閉用蓋片２７を設け、この開閉用蓋片２７を、ポケット本体部２６と係脱自在に係合する係合手段によって係合させて閉めておくようにしても良い。更に、その場合において、係合手段に、ダイヤル式錠前装置２８や南京錠等の錠前装置を付設したものとし、係合した開閉用蓋片２７とポケット本体部２６とを錠前装置２８によって施錠しておくようにしても良く、こうすることにより、盗難した者はポケット２５内の受信機５の受信機スイッチ５１に触れることができず、受信機スイッチ５１を切り操作できないものにできる。
【００２１】
更に、受信機５の受信機スイッチ５１を隠す隠し手段として、受信機５の受信機スイッチ５１を隠蔽・露出し得る隠蔽部材５４によって覆い隠すようにしておいても良く、例えば図１０に示すように、受信機５における受信機スイッチ５１の図示の前方側に、板状の隠蔽部材５４を回動自在に取付けることによって受信機スイッチ５１を隠蔽し、隠蔽部材５４を回動操作すれば受信機スイッチ５１が露出して受信機スイッチ５１の入り切り操作をできるようにしておく。こうすることにより、使用に際しては、隠蔽部材５４によって受信機スイッチ５１を隠蔽しておくことで、盗難した者に受信機スイッチ５１の位置をわからなくでき、盗難した者が即座に受信機スイッチ５１を切り操作できないものにできる。尚、この場合において、隠蔽部材５４は、受信機スイッチ５１を隠蔽・露出し得る形態のものであれば良く、例えば隠蔽部材５４を摺動自在に設けておくこともでき、適宜変更し得る。
【００２２】
又、この隠し手段は、上記例示の凹部５２、ポケット２５、隠蔽部材５４を、単独で使用する形態のものに限らず、これらを組み合わせて使用でき、凹部５２とポケット２５と隠蔽部材５４との適宜な二つ又は三つを同時に使用できる。
【００２３】
一方、本実施形態では、受信機５のボルト受容部５３…５３に、ナット嵌合孔５３ａを設けたものとしているが、この形態のものに限らず、ボルト受容部５３…５３に、固定用ボルト６２を挿通する挿通孔を設けてその挿通孔から突出した固定用ボルト６２にナット６３を螺合させ、或いは、ボルト受容部５３…５３に雌ネジを設けてその雌ネジに固定用ボルト６２を螺合させて締め付けるようにしても良く、適宜変更し得る。
【００２４】
また、ボルト支持部材６１を、固定用ボルト６２の頭部の径より大きい四つの板状片から構成するようにしても良く、この場合でも、固定用ボルト６２をカバン本体２の外側から支持でき、受信機５を無理やり引っ張っても固定用ボルト６２がカバン本体２の左側壁２ａのボルト挿通用孔２３ａ…２３ａから抜けてしまうようなことを防止できる。
【００２５】
又、本実施形態では、送信機４を、受信機５に対する独立した一つの専用機として形成しているが、この形態のものに限らず、他の装置に組み込んだものであっても良く、例えば携帯電話又はＰＨＳに送信機４を組み込むようにしておいても良い。携帯電話やＰＨＳは、今日では多くの人に利用されて携帯されており、これらに送信機４を組み込んでおけば、携帯電話又はＰＨＳと別途に送信機４を携帯しないで済み、使用便利なものにできる。
【００２６】
一方、本願発明に使用するカバン本体２は、特に限定されず、現金や貴重品、或いは重要書類、その他の物を入れて持ち運びするものであれば使用でき、適宜変更できる。
【００２７】
【発明の効果】
以上、本願発明は、カバン本体２を盗難した者がカバン本体２に付設して音を発している受信機５の音を切ろうとしても、受信機スイッチ５１の位置が判らず、即座に受信機５の音を切ることのできないものにでき、音を止めることができないものにできる。これにより、従来のように、簡単に盗難した者に音が止められてしまうようなことを防止できる。また、カバン本体２を盗難した者に受信機スイッチ５１の位置が知られても、手で受信機スイッチ５１を切り操作できず、受信機５の音を切ることのできないものにできる。しかもカバン本体２を盗難した者には受信機スイッチ５１を即座に切ることができないが、使用者は、送信機４の受信機スイッチ用操作片４３を用いて簡単に、送信機スイッチ５１を入り切り操作でき、使用便利なものにできる。さらに、カバン本体２を盗難した者がカバン本体２から受信機５を取り外し、或いは外受信機５の音を止めようとしてもカバン本体２内で受信機５を即座に見つけることができないものにできる。又、受信機５をカバン本体２内で覆い隠すことによって、カバン本体２内で受信機５が、貴重品や書類等を入れる際の邪魔になることがなく、しかも、カバン本体２を開けても受信機５が見えず、体裁の良いものにできる。
【図面の簡単な説明】
【図１】(A) は、本願発明の盗難防止装置を有するカバンの一実施形態の受信機を内部に配位させたカバン本体の正面図、(B) は、その側面図である。
【図２】図１(B)
のII−II線に沿う拡大断面図である。
【図３】(A) は、送信機の正面図であり、(B) は、その背面図、(C)
は、その側面図である。
【図４】(A) は、受信機の正面図、(B) は、その左側面図である。
【図５】図４(B)
のV −V 線に沿う拡大断面図である。
【図６】(A) は、送信機の他の実施形態の正面図、(B) は、送信機の更に他の実施形態の側面図、(C) は、図６(B) の送信機の背面図である。
【図７】他の実施形態の受信機及びボルト支持部材でカバン本体に固定した分解斜視図である。
【図８】他の実施形態の受信機及びボルト支持部材でカバン本体に固定した要部拡大正面図である。
【図９】(A) は、カバン本体のポケットに送信機を入れた状態の正面図であり、(B) は、カバン本体のポケットの要部拡大斜視図である。
【図１０】受信機に、受信機スイッチを覆う隠蔽部材を設けた実施の形態の受信機の側面図である。
【図１１】従来の盗難防止装置を有するカバンの説明図である。
【図１２】従来の受信機の説明図に係り、(A) は、その正面図、(B) は、その左側面図である。
【符号の説明】
２ カバン本体
６ 固定手段
４ 送信機
５ 受信機
２４ 被覆部材
２５ ポケット
４３ 受信機スイッチ用操作片
４５ 受信機スイッチ
５２ 凹部
５３ ボルト受容部
５４ 隠蔽部材
６１ ボルト支持部材
６２ 固定用ボルト
【図１】
0004221127.tif 000002
【図２】
0004221127.tif 000003
【図３】
0004221127.tif 000004
【図４】
0004221127.tif 000005
【図５】
0004221127.tif 000006
【図６】
0004221127.tif 000007
【図７】
0004221127.tif 000008
【図８】
0004221127.tif 000009
【図９】
0004221127.tif 000010
【図１０】
0004221127.tif 000011
【図１１】
0004221127.tif 000012
【図１２】
0004221127.tif 000013